(57)【要約】      （修正有）【課題】コストの低下、軽量化、リサイクル利用、環境保護のメリットを達成することができるエコ紙管表層構造を提供する。【解決手段】本考案はエコ紙管表層構造を提供するものであり、該エコ紙管表層構造は紙ロープと管状支持体とから構成され、該紙ロープは適量の紙材を出材孔より徐徐に送出すると同時に適当に成型する方法、或いは、適量の紙材を均一に巻く方法、或いは、適量の紙材を規則的に捻じる方法により、形成され、該紙ロープは外周より適当な圧力を加えることもできる。該管状支持体は機械により成型することができ、螺旋接合を有する螺旋式巻管状に成型されてもよく、断面形状は円筒型、或いは四角形、或いはその他の幾何形状或いは不規則形状でもよく、該紙ロープを管状支持体に螺旋状に巻き付け、一種のエコ紙管の表層を構成することがでる。【選択図】図１
0003116057.tif 000002
【実用新案登録請求の範囲】
【請求項１】
紙ロープと、
管状支持体と、
を含み、
前記紙ロープは、適量の紙材を出材孔より送出しながら適当に成型する方法、或いは、適量の紙材を均一に巻く方法、或いは、適量の紙材を規則的に捻じる方法により形成され、外周より適当な圧力を加えることもでき、
前記管状支持体は、機械により成型することができ、螺旋式巻管状或いは規則的巻管状（非螺旋）に成型されることもでき、断面形状が円筒型、或いは四角形、或いはその他の幾何形状或いは不規則形状である
エコ紙管表層構造。
【請求項２】
前記管状支持体に螺旋状に巻き付ける方法は、１本、或いは２本、或いは３本の紙ロープを巻き付ける、
請求項１に記載のエコ紙管表層構造。
【請求項３】
前記管状支持体に巻き付ける前記紙ロープは２本以上使用し、且つ、同じ形状の該紙ロープ或いは異なる形状の紙ロープを組み合わせ、それぞれ異なる色である、
請求項１または２に記載のエコ紙管表層構造。
【請求項４】
２本の紙ロープを反対方向に管状支持体に巻き付ける、
請求項１に記載のエコ紙管表層構造。
【請求項５】
２本の紙ロープを相互に交差させながら、管状支持体に巻き付ける
請求項１記載のエコ紙管表層構造。
【請求項６】
前記構造エコ紙管表層構造を取手に用いる
請求項１記載のエコ紙管表層構造。
【請求項７】
前記構造エコ紙管表層構造を卓脚に用いる
請求項１記載のエコ紙管表層構造。
【請求項８】
前記構造エコ紙管表層構造を円卓の中柱に用いる
請求項１記載のエコ紙管表層構造。
【考案の詳細な説明】
【技術分野】
【０００１】
本考案は、エコ紙管表層構造に係るものであり、特に、紙ロープと管状支持体から構造されるエコ紙管表層構造に係る。
【背景技術】
【０００２】
従来の取手、或いは卓脚、或いは円卓の中柱の材料は、鉄或いは木材であり、鉄は表面が硬く重いため、一般的には少なく、大部分は木製であるが、木材はコストが高く、又、環境保護の目的から木材の消耗量を減少させるために木材製取手、或いは卓脚、或いは円卓の中柱の替わりになるものが探し求められている。
【０００３】
従って、従来の取手、或いは卓脚、或いは円卓の中柱の材料は実際使用する時、実用性に欠けると言う問題を解決しておらず、如何に上記欠点を改良した構造のコストの低下、軽量化、リサイクル利用、環境保護のメリットを達成することができるエコ材料を開発するかが、当業界では開発目標となっている。
【考案の開示】
【考案が解決しようとする課題】
【０００４】
本考案の目的は、紙ロープと管状支持体から構造されるエコ紙管表層構造を提供することにある。
【課題を解決するための手段】
【０００５】
前記目的を図るために、本考案はエコ紙管表層構造を提供するものであり、該エコ紙管表層構造は紙ロープと管状支持体とから構成され、該紙ロープは適量の紙材を出材孔より徐徐に送出すると同時に適当に成型する方法、或いは、適量の紙材を均一に巻く方法、或いは、適量の紙材を規則的に捻じる方法により、形成され、該紙ロープは外周より適当な圧力を加えることもできる。
【０００６】
前記管状支持体は機械により成型することができ、螺旋接合を有する螺旋式巻管状に成型されてもよく、断面形状は円筒型、或いは四角形、或いはその他の幾何形状或いは不規則形状でもよい。
【０００７】
前記紙ロープを管状支持体に螺旋状に巻き付け、エコ紙管の表層を構成することができ、該管状支持体に巻き付ける紙ロープは１本、或いは２本、或いは３本でもよく、且つ、各紙ロープをそれぞれ異なる色にしてもよく、或いは、２本の紙ロープを反対方向に管状支持体に巻き付けてもよく、或いは、２本の紙ロープを相互に交差させながら、管状支持体に巻き付けることにより、異なる外観美観を提供することができる。
【０００８】
上記構造により、取手、卓脚、円卓の中柱を提供することができ、取手
、卓脚、円卓の中柱の実用用途を提供する以外に、エコの実用的価値及び立体的美観を提供することができる。
【考案の効果】
【０００９】
管状支持体の外周に紙ロープを巻き付けることにより、取手 、卓脚、円卓の中柱等の家具を提供することができ、家具の実用用途を提供する以外に、エコの実用的価値及び立体的美観を提供することができる。
【考案を実施するための最良の形態】
【００１０】
次に、添付した図面を参照しながら、本考案の好適な実施形態を詳細に説明する。
【００１１】
図１、図２と図３は、本考案のエコ紙管の表層を構成する紙ロープの第一、第二と第三の実施例図である。
【００１２】
図１は、紙ロープの第一の実施例図であり、適量の紙材を出材孔より徐々に送出すると同時に適当に成型することにより、紙ロープ(10)を形成することができ、該紙ロープ(10)は外周より適当な圧力を加えることもでき、該紙ロープ(10)の断面は不規則な乱折模様を有してもよく、又、紙ロープ(10)の外周の断面形状は円形とは限らず、四角形或いは扁形等の幾何形状でもよい。
【００１３】
図２は、紙ロープの第二の実施例図であり、適量の紙材(11)を均一に巻くことにより、紙ロープ(12)を形成することができ、該紙ロープ(12)は外周より適当な圧力を加えることもでき、又、紙ロープ(12)の断面形状は円形とは限らず、四角形或いは扁形等の幾何形状でもよい。
【００１４】
図３は、紙ロープの第三の実施例図であり、適量の紙材(11)を規則的に捻じることにより、紙ロープ(13)を形成することができ、該紙ロープ(13)は外周より適当な圧力を加えることもでき、又、紙ロープ(13)の断面形状は円形とは限らず、扁形等の幾何形状でもよい。
【００１５】
図４と図５は本考案の紙ロープの第四実施例の立体展開図と立体図とであり、紙材(11)を鉄線材(15)に巻き付け、紙ロープ(14)を形成したもので、該紙ロープ(14)は管状支持体(20)に巻き付ける時、容易に彎曲或いは折り曲げることができ、且つ、定位定型しやすい。
【００１６】
図６、図７と図８は本考案の管状支持体の第一、第二と第三の実施例図である。
【００１７】
図６は、管状支持体の第一の実施例であり、該管状支持体(20)は機械により成型することができ、螺旋接合(21)を有する螺旋式巻管成型により無限の長さに成型することもできる。
【００１８】
図７は、管状支持体の第二の実施例であり、該管状支持体の断面形状は四角形或いはその他の幾何形状或いは不規則形状でもよく、不規則形状は第一面(231)・第二面(232)・円弧(233)により構成される形状の管状支持体(23)でもよい。
【００１９】
図８は、管状支持体の第三の実施例であり、該管状支持体(22)は規則的巻管成型（非螺旋）により成型することもでき、側方向の強度に優れた構造の管状支持体(22)を提供することができる。
【００２０】
図９、図１０と図１１は本考案のエコ紙管表層構造の第一、第二と第三の実施例図である。
【００２１】
図９は、管状支持体の表面に紙ロープを巻き付ける構造形態の第一の実施例であり、紙ロープ(10)（或いは紙ロープ(12)、紙ロープ(13)）を管状支持体(20)（或いは管状支持体(22)、管状支持体(23)）に螺旋状に巻き付け、エコ紙管の表層の設計構造を構成することができ、該管状支持体(20)（或いは管状支持体(22)、管状支持体(23)）に巻き付ける紙ロープは２本或いは３本でもよく、その組み合わせ方式は任意であり、例えば、紙ロープ(10)と紙ロープ(10)と紙ロープ(10)、或いは紙ロープ(10)と紙ロープ(12)と紙ロープ(13)のように３本の紙ロープを組み合わせることもでき、任意組み合わせにより特殊な模様を作り出すことができ、或いは異なる色を組み合わせることもでき、多種多様な視覚効果を具備させることができる。
【００２２】
図10は、管状支持体の表面に紙ロープを巻き付ける構造形態の第二の実施例であり、２本の紙ロープ(10)(12)を反対方向に管状支持体(20)上に巻き付けることにより、異なる外観的変化を生み出すことができる。
【００２３】
図11は、管状支持体の表面に紙ロープを巻き付ける構造形態の第三の実施例であり、２本の紙ロープ(10)(12)を相互に交差させながら、管状支持体(20)上に巻き付けることもでき、立体的外観を提供することができる。
【００２４】
図12は、本考案のエコ紙管表層構造の取手(30)における実施例図であり、管状支持体(20)の外周に紙ロープ(10)(12)を巻き付けることにより、取手(30)を提供することができ、取手(30)の実用用途を提供する以外に、エコの実用的価値及び立体的美観を提供することができる。
【００２５】
図13は、本考案のエコ紙管表層構造の卓脚(40)における実施例図であり、管状支持体(20)の外周に紙ロープ(10)(12)を巻き付けることにより、卓脚(40)を提供することができ、卓脚(40)の実用用途を提供する以外に、エコの実用的価値及び立体的美観を提供することができる。
【００２６】
図14は、本考案のエコ紙管表層構造の円卓(50)の中柱(51)における実施例図であり、管状支持体(20)の外周に紙ロープ(10)と(12)を巻き付けることにより、円卓(50)の中柱(51)を提供することができ、円卓(50)の中柱(51)の実用用途を提供する以外に、エコの実用的価値及び立体的美観を提供することができる。
【００２７】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２８】
【図１】本考案のエコ紙管表層構造の紙ロープの第一の実施例図である。
【図２】本考案のエコ紙管表層構造の紙ロープの第二の実施例図である。
【図３】本考案のエコ紙管表層構造の紙ロープの第三の実施例図である。
【図４】本考案のエコ紙管表層構造の紙ロープの第四の実施例の立体展開図である。
【図５】本考案のエコ紙管表層構造の紙ロープの第四の実施例の立体図である。
【図６】本考案のエコ紙管表層構造の管状支持体の第一の実施例である。
【図７】本考案のエコ紙管表層構造の管状支持体の第二の実施例である。
【図８】本考案のエコ紙管表層構造の管状支持体の第三の実施例である。
【図９】本考案のエコ紙管表層構造の第一の実施例図である。
【図１０】本考案のエコ紙管表層構造の第二の実施例図である。
【図１１】本考案のエコ紙管表層構造の第三の実施例図である。
【図１２】本考案のエコ紙管表層構造の取手における実施例図である。
【図１３】本考案のエコ紙管表層構造の卓脚における実施例図である。
【図１４】本考案のエコ紙管表層構造の円卓の中柱における実施例図である。
【符号の説明】
【００２９】
１０  紙ロープ
１１  紙材
１２  紙ロープ
１３  紙ロープ
１４  紙ロープ
１５  鉄線材
２０  管状支持体
２１  螺旋接合
２２  管状支持体
２３  管状支持体
２３１  第一面
２３２  第二面
２３３  円弧
３０  取手
４０  卓脚
５０  円卓
５１  中柱
【図１】
0003116057.tif 000003
【図２】
0003116057.tif 000004
【図３】
0003116057.tif 000005
【図４】
0003116057.tif 000006
【図５】
0003116057.tif 000007
【図６】
0003116057.tif 000008
【図７】
0003116057.tif 000009
【図８】
0003116057.tif 000010
【図９】
0003116057.tif 000011
【図１０】
0003116057.tif 000012
【図１１】
0003116057.tif 000013
【図１２】
0003116057.tif 000014
【図１３】
0003116057.tif 000015
【図１４】
0003116057.tif 000016